(57)【要約】【課題】複数の電気治療器と無線通信接続する場合に、各電気治療器の治療内容の誤設定を防止することが可能な端末装置を提供する。【解決手段】端末装置は、複数の電気治療器と無線通信可能に構成される。複数の電気治療器の各々は、当該電気治療器の筐体を振動させる振動源を含む。端末装置は、各電気治療器に関連付けられた画像情報を端末装置のディスプレイに表示させる表示制御部と、ユーザによって選択された画像情報に関連付けられた電気治療器に対して、筐体を振動させるように指示する振動指示部と、筐体の振動の報知を受けたユーザの指示に従って、各電気治療器により行われる治療内容を設定する治療内容設定部とを備える。【選択図】図９
2019024720.tif 000002
【特許請求の範囲】
【請求項１】
複数の電気治療器と無線通信可能に構成された端末装置であって、
前記複数の電気治療器の各々は、当該電気治療器の筐体を振動させる振動源を含み、
各前記電気治療器に関連付けられた画像情報を前記端末装置のディスプレイに表示させる表示制御部と、
ユーザによって選択された画像情報に関連付けられた電気治療器に対して、前記筐体を振動させるように指示する振動指示部と、
前記筐体の振動の報知を受けた前記ユーザの指示に従って、各前記電気治療器により行われる治療内容を設定する治療内容設定部とを備える、端末装置。
【請求項２】
前記複数の電気治療器の各々に対して、当該電気治療器に対応する治療内容に従って前記ユーザを治療するように指示する治療指示部をさらに備える、請求項１に記載の端末装置。
【請求項３】
前記治療内容設定部は、前記ユーザの指示に従って、前記複数の電気治療器のうちの第１電気治療器に対応する第１治療内容と、第２電気治療器に対応する第２治療内容とを交換し、
前記治療指示部は、前記第１治療内容および前記第２治療内容が交換された場合、前記第１および第２電気治療器に対して、それぞれ交換後の前記第１および第２治療内容に従ってユーザを治療するように指示する、請求項２に記載の端末装置。
【請求項４】
前記電気治療器が前記設定された治療内容に従って治療を行なっている場合、前記振動指示部は、当該電気治療器に関連付けられた画像情報が選択されたことに基づいて当該電気治療器に対して、前記筐体を振動させるように指示し、
前記治療内容は、治療部位に対して微弱な電気刺激を発生させる治療モードを含む、請求項２または３に記載の端末装置。
【請求項５】
前記治療内容設定部は、前記複数の電気治療器のうちの所定の電気治療器に関連付けられた画像情報と、所定の治療内容とが関連付けられた場合、前記所定の電気治療器により行われる治療内容として前記所定の治療内容を設定する、請求項１〜４のいずれか１項に記載の端末装置。
【請求項６】
複数の電気治療器と無線通信可能に構成された端末装置の制御方法であって、
前記複数の電気治療器の各々は、当該電気治療器の筐体を振動させる振動源を含み、
前記制御方法は、
各前記電気治療器に関連付けられた画像情報を表示するステップと、
ユーザによって選択された画像情報に関連付けられた電気治療器に対して、前記筐体を振動させるように指示するステップと、
前記筐体の振動の報知を受けた前記ユーザの指示に従って、各前記電気治療器により行われる治療内容を設定するステップとを含む、制御方法。
【請求項７】
複数の電気治療器と無線通信可能に構成された端末装置のコンピュータに実行させるプログラムであって、
前記複数の電気治療器の各々は、当該電気治療器の筐体を振動させる振動源を含み、
前記プログラムは、前記コンピュータに、
各前記電気治療器に関連付けられた画像情報を表示するステップと、
ユーザによって選択された画像情報に関連付けられた電気治療器に対して、前記筐体を振動させるように指示するステップと、
前記筐体の振動の報知を受けた前記ユーザの指示に従って、各前記電気治療器により行われる治療内容を設定するステップとを実行させる、プログラム。
【請求項８】
複数の電気治療器と、
前記複数の電気治療器と無線通信可能に構成された端末装置とを備え、
前記複数の電気治療器の各々は、当該電気治療器の筐体を振動させる振動源を含み、
前記端末装置は、
各前記電気治療器に関連付けられた画像情報を前記端末装置のディスプレイに表示させる表示制御部と、
ユーザによって選択された画像情報に関連付けられた電気治療器に対して、前記筐体を振動させるように指示する振動指示部と、
前記筐体の振動の報知を受けた前記ユーザの指示に従って、各前記電気治療器により行われる治療内容を設定する治療内容設定部とを含む、治療システム。
【発明の詳細な説明】
【技術分野】
【０００１】
本開示は、電気治療器と無線通信可能に構成された端末装置、制御方法、プログラム、および治療システムに関する。
【背景技術】
【０００２】
従来、腹部や背中などの身体の表面に電極を貼り付け、電極を介して身体内部の筋肉に対して電気刺激を与えるようにした電気治療器が知られている。このような電気治療器のユーザに各種情報を報知する方法として、バイブレータのような振動手段を用いる技術が知られている。
【０００３】
例えば、特表２０１４−５２６２８２号公報（特許文献１）には、治療用電極を介して電気刺激を受けることを、振動するアラームモジュールによって触覚的にユーザに報知する技術が開示されている。
【先行技術文献】
【特許文献】
【０００４】
【特許文献１】特表２０１４−５２６２８２号公報
【発明の概要】
【発明が解決しようとする課題】
【０００５】
ここで、複数の電気治療器（導電パッド）を用いて身体の複数の部位の治療を行なう場面を想定する。このとき、各電気治療器と、各電気治療器に指示を与える制御装置とが無線接続されている場合には、有線接続の場合のように線を辿っていくことができないため、制御したい電気治療器がどの治療部位に装着されているのかを容易に把握することができない。そのため、各電気治療器と、その制御装置とが無線接続されている場合には、ユーザが腕用に作成した治療内容を、腰に装着された電気治療器の治療内容として設定してしまう等の誤設定が発生し易くなる。
【０００６】
本開示のある局面における目的は、複数の電気治療器と無線通信接続する場合に、各電気治療器の治療内容の誤設定を防止することが可能な端末装置、制御方法、プログラム、および治療システムを提供することである。
【課題を解決するための手段】
【０００７】
ある実施の形態に従うと、複数の電気治療器と無線通信可能に構成された端末装置が提供される。複数の電気治療器の各々は、当該電気治療器の筐体を振動させる振動源を含む。端末装置は、各電気治療器に関連付けられた画像情報を端末装置のディスプレイに表示させる表示制御部と、ユーザによって選択された画像情報に関連付けられた電気治療器に対して、筐体を振動させるように指示する振動指示部と、筐体の振動の報知を受けたユーザの指示に従って、各電気治療器により行われる治療内容を設定する治療内容設定部とを備える。
【０００８】
好ましくは、端末装置は、複数の電気治療器の各々に対して、当該電気治療器に対応する治療内容に従ってユーザを治療するように指示する治療指示部をさらに備える。
【０００９】
好ましくは、治療内容設定部は、ユーザの指示に従って、複数の電気治療器のうちの第１電気治療器に対応する第１治療内容と、第２電気治療器に対応する第２治療内容とを交換する。治療指示部は、第１治療内容および第２治療内容が交換された場合、第１および第２電気治療器に対して、それぞれ交換後の第１および第２治療内容に従ってユーザを治療するように指示する。
【００１０】
好ましくは、電気治療器が設定された治療内容に従って治療を行なっている場合、振動指示部は、当該電気治療器に関連付けられた画像情報が選択されたことに基づいて当該電気治療器に対して、筐体を振動させるように指示する。治療内容は、治療部位に対して微弱な電気刺激を発生させる治療モードを含む。
【００１１】
好ましくは、治療内容設定部は、複数の電気治療器のうちの所定の電気治療器に関連付けられた画像情報と、所定の治療内容とが関連付けられた場合、所定の電気治療器により行われる治療内容として所定の治療内容を設定する。
【００１２】
他の実施の形態に従うと、複数の電気治療器と無線通信可能に構成された端末装置の制御方法が提供される。複数の電気治療器の各々は、当該電気治療器の筐体を振動させる振動源を含む。制御方法は、各電気治療器に関連付けられた画像情報を表示するステップと、ユーザによって選択された画像情報に関連付けられた電気治療器に対して、筐体を振動させるように指示するステップと、筐体の振動の報知を受けたユーザの指示に従って、各電気治療器により行われる治療内容を設定するステップとを含む。
【００１３】
さらに他の実施の形態に従うと、複数の電気治療器と無線通信可能に構成された端末装置のコンピュータに実行させるプログラムが提供される。複数の電気治療器の各々は、当該電気治療器の筐体を振動させる振動源を含む。プログラムは、コンピュータに、各電気治療器に関連付けられた画像情報を表示するステップと、ユーザによって選択された画像情報に関連付けられた電気治療器に対して、筐体を振動させるように指示するステップと、筐体の振動の報知を受けたユーザの指示に従って、各電気治療器により行われる治療内容を設定するステップとを実行させる。
【００１４】
さらに他の実施の形態に従う治療システムは、複数の電気治療器と、複数の電気治療器と無線通信可能に構成された端末装置とを備える。複数の電気治療器の各々は、当該電気治療器の筐体を振動させる振動源を含む。端末装置は、各電気治療器に関連付けられた画像情報を端末装置のディスプレイに表示させる表示制御部と、ユーザによって選択された画像情報に関連付けられた電気治療器に対して、筐体を振動させるように指示する振動指示部と、筐体の振動の報知を受けたユーザの指示に従って、各電気治療器により行われる治療内容を設定する治療内容設定部とを含む。
【発明の効果】
【００１５】
本開示によると、複数の電気治療器と無線通信接続する場合に、各電気治療器の治療内容の誤設定を防止することが可能となる。
【図面の簡単な説明】
【００１６】
【図１】治療システムの概略的な構成を示す図である。
【図２】電気治療器の構成の一例を示す斜視図である。
【図３】電気治療器に備えられる本体部をホルダおよびパッドから分離した状態を示す斜視図である。
【図４】端末装置のハードウェア構成の一例を表わすブロック図である。
【図５】治療内容の設定画面の一例を示す図である。
【図６】治療内容の確認画面の一例を示す図である。
【図７】治療内容の交換方式を説明するための図である。
【図８】治療中の画面の一例を示す図である。
【図９】端末装置の機能構成の一例を示すブロック図である。
【図１０】端末装置の処理手順の一例を示すフローチャートである。
【発明を実施するための形態】
【００１７】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１８】
＜システム構成＞
図１は、治療システム１０００の概略的な構成を示す図である。図１を参照して、治療システム１０００は、ユーザ端末である端末装置１０と、電気治療器２０Ａ，２０Ｂ，２０Ｃと、ネットワーク３０とを含む。以下では、電気治療器２０Ａ，２０Ｂ，２０Ｃの各々に共通の構成や機能を説明する際には、それらを「電気治療器２０」と総称する。
【００１９】
電気治療器２０は、コードレスタイプであり、使用時に一体とされるパッド、ホルダ、本体部を有し、これら各部を組み合わせて治療を行なう。本実施の形態に従う電気治療器２０は、低周波パルス電流を供給することで、ユーザの肩凝りをほぐす等の治療を行う低周波治療器であるとする。例えば、低周波パルス電流の周波数は、１Ｈｚ〜１２００Ｈｚである。ただし、電気治療器２０は、これ以外の周波数帯のパルス電流を用いる構成であってもよい。図１では、電気治療器２０の本体部のみを図示しており、パッドおよびホルダは図示を省略している。電気治療器２０の具体的な構成については後述する。
【００２０】
端末装置１０は、例えば、タッチパネルを備えるスマートフォンである。以下では、スマートフォンを「端末装置」の代表例として説明を行なう。ただし、端末装置は、折り畳み式携帯電話、タブレット端末装置、ＰＣ（personal computer）、ＰＤＡ（Personal  Data  Assistance）などのような他の端末装置であってもよい。
【００２１】
端末装置１０と電気治療器２０とを接続するためのネットワーク３０は、近距離無線通信方式を採用しており、典型的には、ＢＬＥ（Bluetooth（登録商標） low energy）が採用される。そのため、端末装置１０および電気治療器２０は、ＢＬＥを用いて無線通信を行なう機能を有するＢＬＥデバイスである。ただし、ネットワーク３０は、これに限られず、Ｂｌｕｅｔｏｏｔｈ（登録商標）、無線ＬＡＮ（local area network）等のその他の無線通信方式を採用してもよい。
【００２２】
本実施の形態に従う治療システム１０００では、端末装置１０は、インストールされているアプリケーションを利用して、ペアリング接続された電気治療器２０Ａ，２０Ｂ，２０Ｃに各種指示を行なう。また、端末装置１０は、各種情報をディスプレイに表示して、必要な情報をユーザに報知する。具体的な動作の詳細については後述する。
【００２３】
＜電気治療器２０の構成＞
図２は、電気治療器２０の構成の一例を示す斜視図である。図３は、電気治療器２０に備えられる本体部４をホルダ３およびパッド２から分離した状態を示す斜視図である。
【００２４】
図２および図３を参照して、電気治療器２０は、いわゆるコードレスタイプの低周波治療器であり、パッド２、ホルダ３、本体部４を備える。
【００２５】
パッド２は、シート状の形状を有し、ユーザの身体に取り付けられる。パッド２の外表面のうち、身体に対向する身体側部２１の表面（下面）には、導電層２ａが設けられる。パッド２は、導電性のゲル等を使用してユーザの皮膚上に貼り付けられ、導電層２ａを通してユーザに低周波パルス電流が供給される。
【００２６】
図３を参照して、パッド２は、取付部２Ｘおよび治療部２Ｙを有する。取付部２Ｘは、ホルダ３によって保持される。取付部２Ｘには、窓部２３および貫通孔２Ｈが設けられている。窓部２３の内側には、ホルダ３の位置決め突起３１２が配置される。貫通孔２Ｈには、ホルダ３のインターロックピン３３が挿通される。治療部２Ｙは、取付部２Ｘの左右両外側に設けられ、治療部２Ｙの身体側部２１には導電層２ａが露出している。
【００２７】
導電層２ａは、取付部２Ｘにおける本体部４に対向する表面にも露出しており、この露出部分がパッド側電極部２２を構成する。パッド側電極部２２は、本体部側電極部４３との電気的接続のために形成されており、取付部２Ｘの一端に、一方の電極部（たとえば＋極）に対応した導電層２ａが露出しており、取付部２Ｘの他端に、他方の電極部（たとえば−極）に対応した導電層２ａが露出している。
【００２８】
図３を参照して、ホルダ３は、板状の形状を有するパッド保持部３１と、パッド保持部３１の両端から起立する一対の壁部３２とを備える。パッド保持部３１の上面３１１に、パッド２の取付部２Ｘが配置される。上面３１１と取付部２Ｘとの間には、必要に応じて、両面粘着テープ、のり、接着剤などが配置される。
【００２９】
パッド保持部３１には、位置決め突起３１２が設けられている。パッド２に設けられた窓部２３の内周縁を位置決め突起３１２に合わせることで、ホルダ３に対してパッド２が位置決めされる。パッド保持部３１の中央には、インターロックピン３３も設けられる。パッド２をホルダ３に取り付ける際、インターロックピン３３は貫通孔２Ｈの中に挿通される。
【００３０】
パッド２は消耗品であるので、交換の際には、パッド２は本体部４に対して着脱可能とされている。本実施の形態では、ホルダ３がパッド２を保持することで両者が一体となっており、パッド２およびホルダ３に対して本体部４を着脱するよう構成されている。パッド２はホルダ３ごと交換されるが、必要に応じてホルダ３を再利用することも不可能ではない。
【００３１】
図２および図３を参照して、本体部４は、略直方体の形状を有する筐体４ａを外装体として含んでいる。筐体４ａとホルダ３との間には、誘導係合部５（図２）が形成されており、本体部４（筐体４ａ）は、ホルダ３に着脱可能に取り付けられる。誘導係合部５は、筐体４ａの側面４１に形成された突起５１（図３）と、ホルダ３の壁部３２に形成された溝部５２（図３）とから構成される。
【００３２】
図３を参照して、溝部５２は、縦溝部５２１と横溝部５２２とを含む。縦溝部５２１は、縦方向に形成され、上方が開口している。横溝部５２２は、横方向に形成され、両端が開口している。突起５１および溝部５２は、本体部４をホルダ３に取り付ける際には、両者が正対する方向に両者が接近移動して係合に至る。ホルダ３に対して本体部４を回転移動させることで両者の係合が解除され、本体部４をホルダ３から取り外すことができる。
【００３３】
本体部４は、ホルダ３に取り付けられた状態で、パッド２の導電層２ａに低周波パルス電流を供給する。具体的には、本体部４は、一対の本体部側電極部４３、基板（図示しない）、電気回路（図示しない）、およびインターロック機構（図示しない）を備える。電気回路は、各種の制御機器を含み、基板の表面上に実装されている。
【００３４】
制御機器は、各種処理を実行するためのプロセッサ、プログラムやデータなどを格納するためのメモリ、端末装置１０と各種データを無線通信するための通信インターフェイス、電源電圧の昇圧、低周波パルス電流（治療電流）の生成および出力等を行なうための波形生成出力回路、振動源としてのバイブレータ等を含む。バイブレータは、振動モータとその駆動回路を有する構成で、その駆動より筐体４ａに振動を与える。バイブレータは、一定の振動を筐体４ａに加えるようにしているが、バイブレータへの通電量に応じて振動の大きさを適宜、調整可能としてもよい。また、バイブレータは、振動のタイミング（振動パターン）を適宜、調整可能としてもよい。振動源は、バイブレータでなくてもよい。
【００３５】
基板、電気回路、インターロック機構は、本体部４（筐体４ａ）内部に設けられる。本体部４（筐体４ａ）内部には、電池等の電源（図示しない）も設けられる。筐体４ａの外部には、スイッチ４８Ｓ（図２）、ＬＥＤ（light emitting diode）等の表示部（図示しない）、およびボタン（図示しない）等が設けられる。
【００３６】
本体部４がホルダ３に取り付けられた状態では、本体部側電極部４３の先端部がパッド側電極部２２に当接する。これにより、本体部側電極部４３とパッド側電極部２２とが導通し、電気回路はパッド側電極部２２に低周波パルス電流を供給可能となる。
【００３７】
＜端末装置１０の構成＞
図４は、端末装置１０のハードウェア構成の一例を表わすブロック図である。図４を参照して、端末装置１０は、主たる構成要素として、プロセッサ１５２と、メモリ１５４と、入力装置１５６と、ディスプレイ１５８と、無線通信部１６０と、メモリインターフェイス（Ｉ／Ｆ）１６４と、通信インターフェイス（Ｉ／Ｆ）１６６と、スピーカ１６８と、マイク１７０とを含む。
【００３８】
プロセッサ１５２は、典型的には、ＣＰＵ（Central Processing Unit）やＭＰＵ（Multi Processing Unit）といった演算処理部である。プロセッサ１５２は、メモリ１５４に記憶されたプログラムを読み出して実行することで、端末装置１０の各部の動作を制御する制御部として機能する。プロセッサ１５２は、当該プログラムを実行することによって、後述する端末装置１０の処理（ステップ）の各々を実現する。
【００３９】
メモリ１５４は、ＲＡＭ（Random  Access  Memory）、ＲＯＭ（Read-Only  Memory）、フラッシュメモリなどによって実現される。メモリ１５４は、プロセッサ１５２によって実行されるプログラム、またはプロセッサ１５２によって用いられるデータなどを記憶する。
【００４０】
入力装置１５６は、端末装置１０に対する操作入力を受け付ける。典型的には、入力装置１５６は、タッチパネルによって実現される。タッチパネルは、表示部としての機能を有するディスプレイ１５８上に設けられており、例えば、静電容量方式タイプである。タッチパネルは、所定時間毎に外部物体によるタッチパネルへのタッチ操作を検知し、タッチ座標をプロセッサ１５２に入力する。ただし、入力装置１５６は、ボタンなどを含んでいてもよい。
【００４１】
無線通信部１６０は、通信アンテナ１６２を介して移動体通信網に接続し無線通信のための信号を送受信する。これにより、端末装置１０は、たとえば、ＬＴＥ（Long  Term  Evolution）などの移動体通信網を介して他の通信装置との通信が可能となる。
【００４２】
メモリインターフェイス１６４は、外部の記憶媒体１６５からデータを読み出す。プロセッサ１５２は、メモリインターフェイス１６４を介して記憶媒体１６５に格納されているデータを読み出して、当該データをメモリ１５４に格納する。プロセッサ１５２は、メモリ１５４からデータを読み出して、メモリインターフェイス１６４を介して当該データを外部の記憶媒体１６５に格納する。
【００４３】
記憶媒体１６５は、ＣＤ（Compact  Disc）、ＤＶＤ（Digital  Versatile  Disk）、ＢＤ（Blu-ray（登録商標）  Disc）、ＵＳＢ（Universal  Serial  Bus）メモリ、ＳＤ（Secure  Digital）メモリカードなどの不揮発的にプログラムを格納する媒体を含む。
【００４４】
通信インターフェイス（Ｉ／Ｆ）１６６は、端末装置１０と電気治療器２０との間で各種データをやり取りするための通信インターフェイスであり、アダプタやコネクタなどによって実現される。通信方式としては、例えば、ＢＬＥ（Bluetooth（登録商標） low energy）、無線ＬＡＮなどによる無線通信方式が採用される。
【００４５】
スピーカ１６８は、プロセッサ１５２から与えられる音声信号を音声に変換して端末装置１０の外部へ出力する。マイク１７０は、端末装置１０に対する音声入力を受け付けて、当該音声入力に対応する音声信号をプロセッサ１５２に与える。
【００４６】
＜システムの動作概要＞
図５〜図８を参照して、治療システム１０００の動作概要について説明する。なお、図５〜図８に示す各画面は、端末装置１０にインストールされた電気治療用のアプリケーション（以下、単に「治療アプリ」とも称する。）が起動されることによりディスプレイ１５８に表示される画面である。ディスプレイ１５８には各種の画像情報が表示される。画像情報は、記号、文字、図形、およびこれらの組み合わせた画像を含む。
【００４７】
（治療内容の設定）
図５は、治療内容の設定画面の一例を示す図である。ここでは、端末装置１０は、電気治療器２０とのペアリングが完了し、電気治療器２０との無線通信接続を確立しているものとする。また、ユーザは、３つの電気治療器２０Ａ，２０Ｂ，２０Ｃの各パッド２を、所望の治療部位に貼り付けているものとする。
【００４８】
図５を参照して、設定画面５１０には、ＴＥＮＳ（transcutaneous electrical nerve stimulation）モードを選択するためのモード選択ボタン５１２、およびＭＣＲ（microcurrent）モードを選択するためのモード選択ボタン５１４が表示される。また、図５中の文字列５１６は、機器Ｘの治療内容の設定画面であることを示す文字列画像である。例えば、電気治療器２０Ａ，２０Ｂ，２０Ｃは、治療アプリ画面上での機器Ｘ，Ｙ，Ｚ（後述の図６参照）と関連付けられている。なお、ユーザは、電気治療器２０Ａ，２０Ｂ，２０Ｃが、治療アプリ画面上での機器Ｘ，Ｙ，Ｚと関連付けられていることを知らない。そのため、ユーザは、機器Ｘが、どの治療部位に貼り付けられたパッド２に対応する電気治療器２０であるのかが把握できない。
【００４９】
そこで、端末装置１０は、文字列５１６の選択操作（タップ操作）を受け付けた場合、機器Ｘに関連付けられている電気治療器２０Ａに対して、バイブレータにより筐体４ａを振動させるように指示する。これにより、電気治療器２０Ａの筐体４ａが振動するため、ユーザは、機器Ｘに関連付けられた電気治療器２０Ａのパッド２がどの治療部位に貼り付けられているのかを把握できる。当該治療部位が腰である場合、ユーザは、機器Ｘの治療内容として、腰用の治療内容を設定すればよい。
【００５０】
ＴＥＮＳモードは、感覚神経に電気刺激を与え疼痛を抑制、軽減するモードである。ＭＣＲモードは、微弱電流（マイクロカレント）を体内に流すことで、筋肉に刺激を与え細胞の修復を図るモードである。典型的には、微弱電流は、筋収縮を起こさせない程度の電流であり、例えば、５０μＡ〜５００μＡである。ここでは、ユーザはＴＥＮＳモードを選択するものとし、端末装置１０は、モード選択ボタン５１２の選択を受け付けると設定画面５２０を表示する。
【００５１】
設定画面５２０は、ＴＥＮＳモードにおけるコース選択画面である。具体的には、設定画面５２０には、ＴＥＮＳモードの設定画面であることを示す文字列５２６と、コース「おす」，「たたく」，「もむ」をそれぞれ選択するためのコース選択ボタン５２３，５２４，５２５とが表示される。また、設定画面５２０には、治療時間を設定するための設定ボタン５２７が表示される。ここでは、ユーザはコース「たたく」を選択するものとし、治療時間は「１０分」に設定されるとする。以下の説明では、モード「ＴＥＮＳ」、コース「たたく」、治療時間「１０分」に設定された治療内容を、治療内容Ｔａとも称する。なお、戻るボタン５２８が選択されると、設定画面５１０が表示される。
【００５２】
同様に、他の機器Ｙ，Ｚについても治療内容が設定される。例えば、ユーザが、他の機器の治療内容を設定するためのボタン５３０を選択すると、設定対象の機器を選択するためのポップアップメニューが表示され、そのポップアップメニューから文字列「機器Ｙ」（あるいは文字列「機器Ｚ」）を選択する。文字列「機器Ｙ」が選択された場合、機器Ｙの治療内容の設定画面（設定画面５１０と同様の画面）が表示される。例えば、機器Ｙの治療内容は、治療内容Ｔｂ（モード「ＴＥＮＳ」、コース「もむ」、治療時間「５分」）に設定されるとし、機器Ｚの治療内容は、治療内容Ｔｃ（モード「ＴＥＮＳ」、コース「おす」、治療時間「３０分」）に設定されるとする。治療内容の確認のため、確認ボタン５２９が選択されると、確認画面６１０が表示される。
【００５３】
（治療内容の確認）
図６は、治療内容の確認画面の一例を示す図である。図６を参照して、確認画面６１０は、文字列「機器Ｘ」を含むオブジェクト６１２と、文字列「機器Ｙ」を含むオブジェクト６１４と、文字列「機器Ｚ」を含むオブジェクト６１６と、治療内容Ｔａ）を含むオブジェクト６１８と、治療内容Ｔｂを含むオブジェクト６２０と、治療内容Ｔｃを含むオブジェクト６２２と、開始ボタン６２４と、再設定ボタン６２６とを含む。なお、「オブジェクト」は、ユーザの操作を受け付けるため、ユーザへ何らかの情報を提示するため、あるいは両者を併せた機能を発揮するための各種の画像情報である。
【００５４】
確認画面６１０では、機器Ｘ〜Ｚには、それぞれ治療内容Ｔａ〜Ｔｃが関連付けられていることを示している。これにより、ユーザは、機器Ｘ〜Ｚに対応する治療内容を確認することができる。また、端末装置１０は、オブジェクト６１２へのタップ操作を受け付けた場合、機器Ｘに関連付けられている電気治療器２０Ａに対して、筐体４ａを振動させるように指示する。同様に、端末装置１０は、オブジェクト６１４へのタップ操作を受け付けた場合、機器Ｙに関連付けられている電気治療器２０Ｂの筐体４ａを振動させ、オブジェクト６１６へのタップ操作を受け付けた場合には、機器Ｚに関連付けられている電気治療器２０Ｃの筐体４ａを振動させる。これにより、ユーザは、各治療部位に所望の治療内容が設定されているか否かを再確認できる。
【００５５】
端末装置１０は、再設定ボタン６２６の選択を受け付けると、設定画面５１０を表示する。端末装置１０は、開始ボタン６２４の選択を受け付けると、機器Ｘ〜Ｚに関連付けられた電気治療器２０Ａ〜２０Ｃに、治療の開始指示を与える。なお、機器Ｘ〜Ｚごとに開始ボタンを設けることにより、電気治療器２０ごとに治療の開始指示が可能に構成されていてもよい。
【００５６】
ここで、ユーザは、ある機器に関連付けられた治療内容を、他の機器に関連付けられた治療内容と交換することもできる。
【００５７】
図７は、治療内容の交換方式を説明するための図である。例えば、ユーザは、機器Ｙに関連付けられた治療内容Ｔｂと、機器Ｚに関連付けられた治療内容Ｔｃとを交換したいとする。図７を参照して、例えば、ユーザは、治療内容Ｔｂを含むオブジェクト６２０を長押しし、右方向にスライド操作を行なうと、オブジェクト６２０と、オブジェクト６２２とが交換される。すなわち、機器Ｙの治療内容と、機器Ｚの治療内容とが交換される。
【００５８】
具体的には、図６の確認画面６１０においては、機器Ｙの交換前の治療内容は、治療内容Ｔｂに設定されていたのに対し、機器Ｙの交換後の治療内容は、治療内容Ｔｃ（すなわち、機器Ｚの交換前の治療内容）に設定されている。同様に、機器Ｚの交換後の治療内容は、機器Ｙの交換前の治療内容（すなわち、治療内容Ｔｂ）に設定されている。なお、治療内容の交換方式は、上記に限られず、他のユーザインターフェイスを用いてもよい。例えば、各機器の治療内容を交換するための交換ボタンを画面に表示させ、当該交換ボタンを選択することにより各機器の治療内容が交換されてもよい。
【００５９】
このように、端末装置１０は、ユーザの指示に従って、機器Ｘ（すなわち、電気治療器２０Ａ）に対応する治療内容と、機器Ｙ（すなわち、電気治療器２０Ｂ）に対応する治療内容とを交換することができる。
【００６０】
（治療中の操作）
図８は、治療中の画面の一例を示す図である。端末装置１０は、図６に示す確認画面６１０の開始ボタン６２４の選択を受け付けると、図８に示す治療中画面７１０を表示する。オブジェクト７１８は、確認画面６１０（図６参照）のオブジェクト６１８に、刺激レベルを上げるためのボタン７３０と、刺激レベルを下げるためのボタン７３２とを追加したものである。同様に、オブジェクト７２０は、オブジェクト６２０に、ボタン７３０とボタン７３２とを追加したものであり、オブジェクト７２２は、オブジェクト６２２に、ボタン７３０とボタン７３２とを追加したものである。ユーザは、ボタン７３２，７３２を選択して刺激レベルを変化させることができる。
【００６１】
端末装置１０は、停止ボタン７４０の選択を受け付けると、すべての機器Ｘ〜Ｚに関連付けられた電気治療器２０Ａ〜２０Ｃに、治療の停止指示を与える。なお、機器Ｘ〜Ｚごとに停止ボタンを設けることにより、電気治療器２０ごとに治療の停止指示が可能に構成されていてもよい。また、治療中画面７１０は、治療の終了指示を与えるための終了ボタンを含んでいてもよい。
【００６２】
端末装置１０は、治療中においても、オブジェクト６１２〜６１６へのタップ操作を受け付けることにより、電気治療器２０Ａ〜２０Ｃに、筐体４ａを振動させるように指示することができる。このことは、ＭＣＲモードが選択された場合に特に有用である。具体的には、ＭＣＲモードでは、筋収縮を起こさせない程度の微弱電流が流れるため、ユーザが感じる電気刺激強度は非常に小さく、ユーザはＭＣＲモードで治療中であるとの実感を得にくい。そのため、ユーザは、オブジェクト６１２〜６１６へのタップ操作を行なって、電気治療器２０Ａ〜２０Ｃの筐体４ａを振動させることにより、ＭＣＲモードで治療が行われていることを把握できる。
【００６３】
＜機能構成＞
図９は、端末装置１０の機能構成の一例を示すブロック図である。図を参照して、端末装置１０は、主たる構成として、入力部１０２と、表示制御部１０４と、振動指示部１０６と、治療内容設定部１０８と、治療指示部１１０とを含む。端末装置１０の各機能は、例えば、各端末装置１０のプロセッサ１５２がメモリ１５４に格納されたプログラムを実行することによって実現される。なお、これらの機能の一部または全部はハードウェアで実現されるように構成されていてもよい。
【００６４】
入力部１０２は、入力装置１５６を介して、ユーザからの指示入力を受け付ける。入力部１０２は、ユーザからの指示入力情報を表示制御部１０４、振動指示部１０６、治療内容設定部１０８に出力する。
【００６５】
表示制御部１０４は、各種情報をディスプレイ１５８に表示させる。具体的には、表示制御部１０４は、上述した設定画面５１０，５２０、確認画面６１０および治療中画面７１０等をディスプレイ１５８に表示させる。具体的には、表示制御部１０４は、各電気治療器２０に関連付けられた画像情報（例えば、文字列５１６，オブジェクト６１２，６１４，６１６等）を端末装置１０のディスプレイ１５８に表示させる。
【００６６】
振動指示部１０６は、ユーザによって選択された画像情報に関連付けられた電気治療器２０に対して、筐体４ａを振動させるように指示する。具体的には、振動指示部１０６は、当該電気治療器２０のバイブレータの駆動を実行させるための制御情報を、当該電気治療器２０に送信する。ある局面では、電気治療器２０が対応する治療内容に従って治療を行なっている場合、振動指示部１０６は、当該電気治療器２０に関連付けられた画像情報（例えば、オブジェクト６１２〜６１６）が選択されたことに基づいて当該電気治療器２０に対して、筐体４ａを振動させるように指示する。
【００６７】
治療内容設定部１０８は、筐体４ａの振動の報知を受けたユーザの指示に従って、各電気治療器２０により行われる治療内容を設定する。治療内容は、治療モード、治療コース、および治療時間を含む。ある局面では、治療内容設定部１０８は、ユーザの指示に従って、各電気治療器２０の治療内容を交換する。例えば、治療内容設定部１０８は、電気治療器２０Ｂに対応する治療内容と、電気治療器２０Ｃに対応する治療内容とを交換する。
【００６８】
具体的には、治療内容設定部１０８は、電気治療器２０Ａ〜２０Ｃのうちの所定の電気治療器（例えば、電気治療器２０Ｂ）に関連付けられた画像情報（例えば、オブジェクト６１４）と、所定の治療内容（例えば、オブジェクト６２０により示される治療内容Ｔｂ）とが関連付けられた場合、所定の電気治療器により行われる治療内容として当該所定の治療内容を設定する。例えば、ユーザの指示に従って、オブジェクト６１２に、オブジェクト６２２が関連付けられた場合、電気治療器２０Ａの治療内容として、治療内容Ｔｃ（モード「ＴＥＮＳ」、コース「おす」、治療時間「３０分」）が設定される。
【００６９】
治療指示部１１０は、複数の電気治療器２０の各々に対して、当該電気治療器２０に対応する治療内容に従ってユーザを治療するように指示する。治療指示部１１０は、各治療内容を実行させるための制御情報を各電気治療器２０に送信する。また、治療指示部１１０は、ユーザからの各種指示（例えば、刺激レベルの変更指示、治療の停止指示等）に従って、各種の制御情報を各電気治療器２０に送信する。
【００７０】
また、治療指示部１１０は、第１の電気治療器（例えば、電気治療器２０Ａ）の治療内容と、第２の電気治療器（例えば、電気治療器２０Ｂ）の治療内容とが交換された場合、第１および第２電気治療器に対して、それぞれ交換後の治療内容に従ってユーザを治療するように指示する。
【００７１】
＜処理手順＞
図１０は、端末装置１０の処理手順の一例を示すフローチャートである。図１０に示す各ステップは、主に、端末装置１０のプロセッサ１５２がメモリ１５４に格納されたプログラム（治療アプリ）を実行することにより実現される。フローチャートのスタート時点において、端末装置１０は、電気治療器２０とのペアリングが完了し、電気治療器２０との無線通信接続を確立しているものとする。また、ユーザは、３つの電気治療器２０Ａ，２０Ｂ，２０Ｃの各パッド２を、所望の治療部位に貼り付けているものとする。
【００７２】
図１０を参照して、端末装置１０は、治療内容の設定画面（例えば、設定画面５１０，５２０）をディスプレイ１５８に表示する（ステップＳ１０）。端末装置１０は、入力装置１５６を介して、電気治療器２０への振動指示（例えば、文字列５１６のタップ操作）を受け付けたか否かを判断する（ステップＳ１２）。
【００７３】
振動指示を受け付けていない場合には（ステップＳ１２においてＮＯ）、ステップＳ１６の処理を実行する。振動指示を受け付けた場合には（ステップＳ１２においてＹＥＳ）、端末装置１０は、文字列５１６に関連付けられた対象の電気治療器２０に、筐体４ａを振動させるように指示する（ステップＳ１４）。続いて、端末装置１０は、入力装置１５６を介して、治療内容の確認指示（例えば、確認ボタン５２９のタップ操作）を受け付けたか否かを判断する（ステップＳ１６）。
【００７４】
確認指示を受け付けていない場合には（ステップＳ１６においてＮＯ）、端末装置１０はステップＳ１０の処理に戻る。確認指示を受け付けた場合には（ステップＳ１６においてＹＥＳ）、端末装置１０は、治療内容の確認画面（例えば、確認画面６１０）をディスプレイ１５８に表示する（ステップＳ１８）。端末装置１０は、入力装置１５６を介して、電気治療器２０への振動指示（例えば、オブジェクト６１２〜６１６のいずれかへのタップ操作）を受け付けたか否かを判断する（ステップＳ２０）。
【００７５】
振動指示を受け付けていない場合には（ステップＳ２０においてＮＯ）、ステップＳ２４の処理を実行する。振動指示を受け付けた場合には（ステップＳ２０においてＹＥＳ）、端末装置１０は、選択されたオブジェクトに関連付けられた対象の電気治療器２０に、筐体４ａを振動させるように指示する（ステップＳ２２）。続いて、端末装置１０は、入力装置１５６を介して、治療内容の交換指示（例えば、オブジェクト６１４とオブジェクト６１６との交換操作）を受け付けたか否かを判断する（ステップＳ２４）。
【００７６】
交換指示を受け付けていない場合には（ステップＳ２４においてＮＯ）、端末装置１０はステップＳ２８の処理を実行する。交換指示を受け付けた場合には（ステップＳ２４においてＹＥＳ）、端末装置１０は、治療内容を交換し（ステップＳ２６）、治療開始指示（例えば、開始ボタン６２４へのタップ操作）を受け付けたか否かを判断する（ステップＳ２８）。
【００７７】
治療開始指示を受け付けていない場合には（ステップＳ２８においてＮＯ）、端末装置１０はステップＳ１８の処理に戻る。治療開始指示を受け付けた場合には（ステップＳ２８においてＹＥＳ）、端末装置１０は、各電気治療器２０に対して、対応する治療内容に従ってユーザを治療するように指示し（ステップＳ３０）、治療中画面（例えば、治療中画面７１０）をディスプレイ１５８に表示する（ステップＳ３２）。続いて、端末装置１０は、入力装置１５６を介して、電気治療器２０への振動指示（例えば、オブジェクト６１２〜６１６のいずれかへのタップ操作）を受け付けたか否かを判断する（ステップＳ３４）。
【００７８】
振動指示を受け付けていない場合には（ステップＳ３４においてＮＯ）、ステップＳ３８の処理を実行する。振動指示を受け付けた場合には（ステップＳ３４においてＹＥＳ）、端末装置１０は、選択されたオブジェクトに関連付けられた対象の電気治療器２０に、筐体４ａを振動させるように指示する（ステップＳ３６）。
【００７９】
端末装置１０は、入力装置１５６を介して、治療が終了したか否かを判断する（ステップＳ３８）。例えば、端末装置１０は、治療時間が経過した場合、あるいは、ユーザから治療中止指示を受け付けた場合に治療が終了したと判断する。治療が終了していない場合には（ステップＳ３８においてＮＯ）、端末装置１０はステップＳ３２の処理に戻る。治療が終了した場合には（ステップＳ３８においてＹＥＳ）、端末装置１０は処理を終了する。
【００８０】
＜利点＞
本実施の形態によると、複数のパッドがユーザの治療部位に貼り付けられている状態であっても、端末装置１０の画面上でのタップ操作により、各電気治療器２０を振動させることができる。そのため、ユーザは、各治療部位に対して実行したい治療内容を容易に設定できるとともに、治療内容の誤設定を防止できる。また、複数の電気治療器２０のパッドを治療部位に貼り付ける前に、どの電気治療器２０をどの治療部位に貼ったのかを意識しておく必要もない。
【００８１】
本実施の形態によると、治療内容の設定画面、治療内容の確認画面および治療中画面において、タップ操作により各電気治療器２０を振動させることができる。そのため、ユーザは、治療部位に対して所望の治療内容が設定されているか否かを常時確認することができる。
【００８２】
＜その他の実施の形態＞
上述した実施の形態において、コンピュータを機能させて、上述のフローチャートで説明したような制御を実行させるプログラムを提供することもできる。このようなプログラムは、コンピュータに付属するフレキシブルディスク、ＣＤ（Compact  Disk  Read  Only  Memory）、二次記憶装置、主記憶装置およびメモリカードなどの一時的でないコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００８３】
プログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本実施の形態にかかるプログラムに含まれ得る。
【００８４】
また、本実施の形態にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本実施の形態にかかるプログラムに含まれ得る。
【００８５】
上述の実施の形態として例示した構成は、本発明の構成の一例であり、別の公知の技術と組み合わせることも可能であるし、本発明の要旨を逸脱しない範囲で、一部を省略する等、変更して構成することも可能である。また、上述した実施の形態において、その他の実施の形態で説明した処理や構成を適宜採用して実施する場合であってもよい。
【００８６】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【００８７】
２  パッド、２Ｈ  貫通孔、２Ｘ  取付部、２Ｙ  治療部、２ａ  導電層、３  ホルダ、４  本体部、４ａ  筐体、５  誘導係合部、１０  端末装置、２０Ａ，２０Ｂ，２０Ｃ  電気治療器、２１  身体側部、２２  パッド側電極部、２３  窓部、３０  ネットワーク、３１  パッド保持部、３２  壁部、３３  インターロックピン、４１  側面、４３  本体部側電極部、４８Ｓ  スイッチ、５１  突起、５２  溝部、１０２  入力部、１０４  表示制御部、１０６  振動指示部、１０８  治療内容設定部、１１０  治療指示部、１５２  プロセッサ、１５４  メモリ、１５６  入力装置、１５８  ディスプレイ、１６０  無線通信部、１６２  通信アンテナ、１６４  メモリインターフェイス、１６５  記憶媒体、１６８  スピーカ、１７０  マイク、３１１  上面、３１２  位置決め突起、５１０，５２０  設定画面、５１２，５１４  モード選択ボタン、５１６，５２６  文字列、５２１  縦溝部、５２２  横溝部、５２３，５２４，５２５  コース選択ボタン、５２７  設定ボタン、５２８，５３０，７３０，７３２  ボタン、５２９  確認ボタン、６１０  確認画面、６１２，６１４，６１６，６１８，６２０，６２２，７１８，７２０，７２２  オブジェクト、６２４  開始ボタン、６２６  再設定ボタン、７１０  治療中画面、７４０  停止ボタン、１０００  治療システム。
【図１】
2019024720.tif 000003
【図２】
2019024720.tif 000004
【図３】
2019024720.tif 000005
【図４】
2019024720.tif 000006
【図５】
2019024720.tif 000007
【図６】
2019024720.tif 000008
【図７】
2019024720.tif 000009
【図８】
2019024720.tif 000010
【図９】
2019024720.tif 000011
【図１０】
2019024720.tif 000012